(57)【要約】  【課題】  防虫剤等を室内に拡散させる用途に適する薬剤拡散装置を改良するものであり、スイッチ操作が簡単であり、且つ手足が送風に触れることなくスイッチ操作を行うことができる薬剤拡散装置の開発を課題とする。  【解決手段】  薬剤拡散装置１のケース部材２は、ベース部３と可動蓋部５によって構成されている。ケース部材２は、全体形状が偏平であり、上部側が緩やかに膨らみ、下部側が平坦に近い形をしている。排出用開口１０は、ケース部材２の側面側に向かって開き、吸入用開口１１は、ケース部材２の底面側に向かって開く。可動蓋部５を押すと可動蓋部５の全体がガイド棒１２に沿って降下し、可動蓋部５の裏面側がオルタネートスイッチ６１を押圧し、スイッチ６１がオン状態となる。使用者が可動蓋部５の押圧をやめるとバネ１５の力によって可動蓋部５は元の位置に復帰する。【選択図】  図４
2006314253.tif 000002
【特許請求の範囲】
【請求項１】
特定の面を底側にして設置されるケース部材を備え、当該ケース部材内に送風手段と薬剤保持部材が内蔵され、スイッチを操作することによって外部の空気をケース部材内に吸入し、薬剤を含有する空気をケース部材から排出する薬剤拡散装置において、前記ケース部材は外部の空気をケース部材の内部に吸入する吸入用開口と、薬剤を含有する空気をケース部材から外部に向かって排出する排出用開口があり、前記吸入用開口はケース部材の底面に設けられ、前記排出用開口はケース部材の側面側に設けられ、ケース部材の天面側にスイッチの押圧部があり、当該押圧部を押圧することによってスイッチがオンオフされることを特徴とする薬剤拡散装置。
【請求項２】
特定の面を底側にして設置されるケース部材を備え、当該ケース部材内に送風手段と薬剤保持部材が内蔵され、スイッチを操作することによって外部の空気をケース部材内に吸入し、薬剤を含有する空気をケース部材から排出する薬剤拡散装置において、前記ケース部材は外部の空気をケース部材の内部に吸入する吸入用開口と、薬剤を含有する空気をケース部材から外部に向かって排出する排出用開口があり、前記吸入用開口はケース部材の底面に設けられ、前記排出用開口はケース部材の側面側に設けられ、ケース部材の天面側の一部又は全部が上下に昇降可能であり、ケース部材の天面側を昇降させることによってスイッチがオンオフされることを特徴とする薬剤拡散装置。
【請求項３】
ケース部材の底面は湾曲しており、薬剤拡散装置を水平面に設置したとき、ケース部材の底面と設置面との間に空隙が形成されることを特徴とする請求項１又は２に記載の薬剤拡散装置。
【請求項４】
ケース部材の天面側は、光を乱反射させて透過させる素材で滑らかに作られており、内部に発光部材があり、薬剤拡散装置の作動中は当該発光部材が発光することを特徴とする請求項１乃至３のいずれかに記載の薬剤拡散装置。
【請求項５】
ケース部材は上から見た形状が略三角形であり、高さ方向に偏平であって中心に向かってなだらかに高くなる形状であることを特徴とする請求項１乃至４のいずれかに記載の薬剤拡散装置。
【発明の詳細な説明】
【技術分野】
【０００１】
本発明は薬剤拡散装置に関するものである。本発明の薬剤拡散装置は室内に置かれるものであり、防虫剤等を室内に拡散させる用途に適するものである。
【背景技術】
【０００２】
防虫剤を室内に拡散させる薬剤拡散装置が知られている。初期型の薬剤拡散装置は、例えば特許文献１の様にヒータを備えたものであり、液状の薬剤や、マットに含浸させた薬剤を加熱して蒸散させるものであった。
これに対して、近年、常温で揮発させて所定の防虫効果が得られる薬剤が開発され、当該薬剤に対しては、加熱することなく薬剤を拡散させる薬剤拡散装置が使用される。この種の薬剤拡散装置は、例えば特許文献２，３の様に内部に送風機を備え、薬剤保持部材に通風して薬剤を拡散させるものである。
【特許文献１】特開平５−２４４８５３号公報
【特許文献２】特開２００２−２０９５００号公報
【特許文献３】登録実用新案第３０７１７６０号公報
【０００３】
特許文献１に記載された薬剤拡散装置は、外形形状が四角柱形であり、室内に設置して使用される。これに対して特許文献２，３に開示された常温揮散性の薬剤を使用する薬剤拡散装置は、いずれもストラップやクリップが設けられており、持ち運び形である。特許文献２，３に開示された薬剤拡散装置では、スイッチを操作することによって送風機を起動するが、送風機を起動させるスイッチは、いずれも装置の側面に設けられている。またスイッチは、いずれもいわゆるスライドスイッチである。
【発明の開示】
【発明が解決しようとする課題】
【０００４】
ところで、寝苦しい夏の夜に、いずれともなく蚊が侵入することがある。この様な場合には、蚊が気になってとても眠ることはできない。この様な状況下においては薬剤拡散装置を起動させて薬剤を拡散し、蚊を追い払わざるを得ない。またこの様な状況の時は、多くの場合、とても眠い。そのため需要者の間では、布団等に潜った状態のままで枕元の薬剤拡散装置を操作したいという要求がある。
即ち市場において、布団等に潜った様な状態のままで簡単にオンオフすることができる薬剤拡散装置が求められている。
【０００５】
しかしながら今日までにこの要求を満足する薬剤拡散装置は知られていない。
特許文献１に記載された様な薬剤拡散装置は、加熱部近傍に触れるおそれがあるので装置を乱暴に扱うことができず、また電源を外部コンセントに依存する場合が多く設置場所がコンセント付近に限定されるため使用者は布団やベットから起き上がり、照明を点灯して薬剤拡散装置を操作しなければならない。
【０００６】
特許文献２，３に開示された薬剤拡散装置は、装置を起動するスイッチがスライドスイッチであるから、薬剤拡散装置を手で保持した状態でなければスイッチの操作を行うことができない。そのため特許文献２，３に開示された薬剤拡散装置であっても、使用者は布団やベットから起き上がり、照明を点灯して薬剤拡散装置のスイッチを操作しなければならない。
【０００７】
また近年、清潔癖の強い人が増加したと言われている。極端な例として、人が触ったペンや電話機を使用することさえも嫌う者がある。
根拠の無いことではあるが、清潔癖が強い使用者は、薬剤拡散装置、または薬剤拡散装置から排気される風に手が触れることを嫌う。そのため棒や箒、或いは足で薬剤拡散装置を操作したいという要求がある。
【０００８】
そこで本発明は、近年の上記した要求に応えるものであり、スイッチ操作が簡単であり、且つ手足が送風に触れることなくスイッチ操作を行うことができる薬剤拡散装置の開発を課題とするものである。
【課題を解決するための手段】
【０００９】
そして上記した課題を解決するための請求項１に記載の発明は、特定の面を底側にして設置されるケース部材を備え、当該ケース部材内に送風手段と薬剤保持部材が内蔵され、スイッチを操作することによって外部の空気をケース部材内に吸入し、薬剤を含有する空気をケース部材から排出する薬剤拡散装置において、前記ケース部材は外部の空気をケース部材の内部に吸入する吸入用開口と、薬剤を含有する空気をケース部材から外部に向かって排出する排出用開口があり、前記吸入用開口はケース部材の底面に設けられ、前記排出用開口はケース部材の側面側に設けられ、ケース部材の天面側にスイッチの押圧部があり、当該押圧部を押圧することによってスイッチがオンオフされることを特徴とする薬剤拡散装置である。
【００１０】
本発明の薬剤拡散装置では、特定の面を底側にして設置される。即ち常識的な使用状態として、必然的に特定の面が下になるような形状をしている。また本発明の薬剤拡散装置では、ケース部材の天面側にスイッチの押圧部がある。そのためスイッチを操作する際に、手指は天面側から接近する。そのため手指に風が当たることはない。
一方、本発明の薬剤拡散装置では、ケース部材の内部に空気を吸入する吸入用開口と、薬剤を含有する空気をケース部材から外部に向かって排出する排出用開口があり、吸入用開口はケース部材の底面に設けられ、前記排出用開口はケース部材の側面側に設けられている。本発明の薬剤拡散装置では、前記した様に、スイッチを操作する際に、手指は天面側から接近するので、手指に風が当たることはない。
また本発明の薬剤拡散装置は、天面側のスイッチの押圧部を押圧することによってスイッチがオンオフされるので操作が極めて簡単である。
【００１１】
請求項２に記載の発明は、特定の面を底側にして設置されるケース部材を備え、当該ケース部材内に送風手段と薬剤保持部材が内蔵され、スイッチを操作することによって外部の空気をケース部材内に吸入し、薬剤を含有する空気をケース部材から排出する薬剤拡散装置において、前記ケース部材は外部の空気をケース部材の内部に吸入する吸入用開口と、薬剤を含有する空気をケース部材から外部に向かって排出する排出用開口があり、前記吸入用開口はケース部材の底面に設けられ、前記排出用開口はケース部材の側面側に設けられ、ケース部材の天面側の一部又は全部が上下に昇降可能であり、ケース部材の天面側を昇降させることによってスイッチがオンオフされることを特徴とする薬剤拡散装置である。
【００１２】
本発明の薬剤拡散装置は、特定の面を底側にして設置される。また本発明の薬剤拡散装置は、吸入用開口はケース部材の底面に設けられ、排出用開口はケース部材の側面側に設けられている。
そして本発明の薬剤拡散装置では、ケース部材の天面側の一部又は全部が上下に昇降可能であり、ケース部材の天面側を昇降させることによってスイッチがオンオフされる。そのためスイッチを操作する際に、手指は天面側から接近するので、手指に風が当たることはない。
また本発明の薬剤拡散装置は、ケース部材の天面側を押圧することによってスイッチがオンオフされるので操作が極めて簡単である。
【００１３】
請求項３に記載の発明は、ケース部材の底面は湾曲しており、薬剤拡散装置を水平面に設置したとき、ケース部材の底面と設置面との間に空隙が形成されることを特徴とする請求項１又は２に記載の薬剤拡散装置である。
【００１４】
本発明の薬剤拡散装置ではケース部材の底面は湾曲しており、薬剤拡散装置を水平面に設置したとき、ケース部材の底面と設置面との間に空隙が形成される。そのため空気導入側の流路抵抗が小さい。
【００１５】
請求項４に記載の発明は、ケース部材の天面側は、光を乱反射させて透過させる素材で滑らかに作られており、内部に発光部材があり、薬剤拡散装置の作動中は当該発光部材が発光することを特徴とする請求項１乃至３のいずれかに記載の薬剤拡散装置である。
【００１６】
本発明の薬剤拡散装置では、ケースの天面側が光を乱反射させて透過させる素材で作られており、ケースの内部に発光部材が設けられている。そのため発光部材が発光すると、ケースの天面側がぼんやりと光り、幻想的である。またケース部材の天面側は滑らかに作られており、この滑らかに作られたケース自体の天面側を通して光を見る構成であるから、ケースの天面側に突起物が無い。即ち直接的にパイロットランプ等を設ける構成を採用する場合には、パイロットランプ自体の突起や、或いはパイロットランプを収納する部位のカバーが必要であり、どうしても表面に凹凸が生じる。そのため手さぐりで薬剤拡散装置を操作した時にランプの突起をスイッチと間違う。これに対して本発明の薬剤拡散装置は、ケースの天面側が平滑であるから、スイッチとランプを混同することがない。
【００１７】
また請求項５に記載の発明は、ケース部材は上から見た形状が略三角形であり、高さ方向に偏平であって中心に向かってなだらかに高くなる形状であることを特徴とする請求項１乃至４のいずれかに記載の薬剤拡散装置である。
【００１８】
本発明の薬剤拡散装置は、上から見た形状が略三角形であり、高さ方向に偏平であって中心に向かってなだらかに高くなる形状であるから、手に沿いやすい。そのため手さぐりで操作し易い。
【発明の効果】
【００１９】
本発明の薬剤拡散装置は、天面側のスイッチの押圧部を押圧（請求項１）したり、天面側自体を昇降させる（請求項２）といった簡単な操作で装置をオンオフすることができる。またスイッチ操作の際に手足が送風に触れることないので、使用者に不快感を与えないという効果がある。
【発明を実施するための最良の形態】
【００２０】
以下さらに本発明の実施形態について説明する。
図１は、本発明の実施形態の薬剤拡散装置の斜視図である。図２は、図１の薬剤拡散装置の正面図、左右側面図及び平面図である。図３は、図１の薬剤拡散装置の底面図である。図４は、図１の薬剤拡散装置の断面図であり、（ａ）は通常時における状態を示し、（ｂ）はスイッチを操作した時の状態を示す。図５は、図１の薬剤拡散装置の斜視図であり、可動蓋部を取り外した状態を示す。
【００２１】
本発明の実施形態の薬剤拡散装置１は、ケース部材２を有し、その中に薬剤保持部材４１、送風機３０、オルタネートスイッチ６１、電池２０及び発光ダイオード（発光部材）６０が内蔵されたものである。
ケース部材２は、図４の様にベース部３と可動蓋部５によって構成されている。ケース部材２の素材は樹脂であり、強い光は透過するが内部は見えない。また素材の表面はすりガラスや梨地加工された板の様に極めて微細な凹凸があり、光りを乱反射する。
ベース部３と可動蓋部５の両者を組み合わせた状態における形状は、図１，２，３の通りである。即ちケース部材２は、あたかも帆立て貝の様に全体形状が偏平であり、上部側（可動蓋部５）が緩やかに膨らみ、下部側（ベース部３側）が平坦に近い形をしている。なお正確には、後記する様に、ケース部材２の底面は凹面である。
【００２２】
ケース部材２を上から観察すると図１，２の様に概ね三角形である。ケース部材２の上面側は、前記した様に緩やかに膨らみ、なだらかに盛り上がっている。そしてケース部材２は、中央部６の高さが最も高い。
【００２３】
ケース部材２の底面側は、図２の様に緩やかに湾曲している。即ち前記した様にケースは、上から見た形状が概ね三角形であり、その底面側に注目すると、３箇所の角の近傍部分が最も下部に位置し、中央に行くに従って緩やかに凹んでいる。そのため図４に示す様にケース部材２を設置すると、下部の中央部分に隙間（空隙）７ができる。また当該隙間７は図２（ｂ，ｃ，ｄ，ｅ）の様に四方に開放されている。
【００２４】
ケース部材２は、全体的になだらかに盛り上がった形状ではあるが、前記した様に略三角形であるから、３方に側面部がある。即ちケース部材２は、全体的になだらかに盛り上がった形状であるため、天面と側面との境界は定かではないが、少なくとも三角形の辺方向から観察した時に側面と見なせる部位がある。そして本実施形態では、その内の一つの側面に図１，２の様に開口部１０が設けられている。また底面部にも開口１１が設けられている。前者の開口は、排出用開口１０として機能し、後者の開口は、吸入用開口１１として機能する。
【００２５】
前者の排出用開口１０は、ケース部材２の側面側に向かって開くものであり、長孔状である。後者の吸入用開口１１は、ケース部材２の底面側に向かって開くものであり、複数のスリットによって構成され、スリット全体によって円形を構成している。
なおケース部材２の裏面側には裏蓋９があり、吸入用開口１１は、裏蓋９に設けられている。裏蓋９は図示しないヒンジによって取り付けられており、開放可能である。
【００２６】
前記した様に、ケース部材２は、ベース部３と可動蓋部５によって構成されており、図４の様にベース部３の上に可動蓋部５が被さっている。ケース部材２の内部について説明すると、図４，５の様に可動蓋部５の内面に３本のガイド棒（図４では１本のみ図示）１２が設けられている。
一方、ベース部３側の内部には、内部ベース板１３が設けられており、内部ベース板１３には３個の孔１４（図４では１個のみ図示、図５で２個のみを図示）が設けられている。そして可動蓋部５とベース部３は、ガイド棒１２が孔１４と係合することによって結合されている。即ち図４，５の様にベース部３側に孔１４が設けられており、当該孔１４にガイド棒１２が挿入されている。またガイド棒１２にはバネ１５が装着されており、可動蓋部５をベース部３から離れる方向に付勢している。即ち可動蓋部５は、バネ１５によって上方に付勢されている。ただし、ガイド棒１２の先端にはストッパ１６たる係止部が設けられており、ストッパ１６がベース部３の一部（孔１４の下面）と係合するので可動蓋部５が抜け去ることは無い。
手指によって可動蓋部５を下方向に押すと、可動蓋部５はガイド棒１２に沿って沈む。手指を離すと可動蓋部５は元の位置に復帰する。
【００２７】
次にケース部材２に内蔵された機器について説明する。ケース部材２の中には、前記した様に、薬剤保持部材４１、送風機３０、オルタネートスイッチ６１、電池２０及び発光ダイオード６０が内蔵されている。
即ち前記した様に、内部ベース板１３が設けられており、当該内部ベース板１３を介して送風機３０、オルタネートスイッチ６１、電池２０及び発光ダイオード６０が取付けられている。
順次説明すると、内部ベース板１３は一部が畝状に膨らんでおり、その内部に電池２０が挿入されている。なお電池２０は、ベース部材２の裏板９を開いて取り替える。
【００２８】
また送風機３０は、図５の様にケース部材２の内部の中央部に設けられており、さらに送風機３０の下部に薬剤保持部材４１が配されている。
図６（ａ）は、送風機３０の内部を上側から観察した斜視図であり、同図（ｂ）は、送風機３０の内部を下側から観察した斜視図である。図７は、薬剤保持部材４１の分解斜視図である。
送風機３０は、ハウジング３１に羽根部材３２とモータ３３が配置されて構成されている。
本実施形態で採用する送風機３０は、底側から吸気し、側面側に排気するものである。従ってハウジング３１は、底面側に吸気口を持ち、側面側に排気口を持つ。ハウジングの形状は、図５及び図６の二点鎖線の様に円形部３５と方形部３６が連続した形状である。そして円形部３５の下面側が開放されており、吸気口として機能する。また方形部３６の先端側についても開放されており、排気口３９として機能する。排気口３９には送風を方向づけるためのガイド桟３４が設けられている。ハウジング３１の他の面は閉塞している。
ハウジング３１の排気口３９の位置は、ケース部材の排出用開口１０と一致する。
【００２９】
羽根部材３２は、シロッコファンやターボファンの様な回転軸を中心とする円周上に多数の小羽根３８が配されたものである。モータ３３は、羽根部材３２の小羽根３８に囲まれた位置に配置されている。
【００３０】
また送風機３０の吸気口に薬剤保持部材４１が装着されている。
薬剤保持部材４１は、薬剤含浸網４６とこれを保持する枠体５０によって構成されている。
本実施形態では、枠体５０は外側枠４７と内側枠４８によって構成され、両者の間で薬剤含浸網４６を挟み込む構造となっている。即ち外側枠４７は、円環状の外周壁５１を持ち、外周壁５１の一方の端面に保持桟５３が形成されたものである。保持桟５３は、中心部に円部５５を持ち、当該円部５５から複数の保持桟５３が放射状に延びている。
内側枠４８は、前記した外側枠４７と相似形であり、外側枠４７よりも僅かに小さく、外側枠４７の外周壁５１内に内側枠４８の外周壁５６が嵌まり込む。即ち内側枠４８は、外側枠４７と同様に円環状の外周壁５６を持ち、外周壁５６の一方の端面に保持桟５７が形成されたものであり、内側枠４８の外周壁５６の外径は外側枠４７の外周壁５１の内径に相当し、外側枠４７の外周壁５１内に内側枠４８の外周壁５６が嵌まり込む。そして外側枠４７の保持桟５３と内側枠４８の保持桟５７の間で薬剤含浸網４６を挟む。
【００３１】
薬剤含浸網４６には防虫薬剤が含浸されている。ここで防虫薬剤とは殺虫剤と忌避剤との両方を含む概念である。本発明において防虫薬剤とは、常温で揮散性を有する有効成分を含有するものであり、該有効成分としてはピレスロイド系化合物、並びにその他の殺虫性化合物及び忌避性化合物を挙げることができる。
【００３２】
ピレスロイド系化合物としては例えば、２，３，５，６−テトラフルオロベンジル（１Ｒ）−トランス−３−（２，２−ジクロロビニル）−２，２−ジメチルシクロプロパンカルボキシレート（一般名：トランスフルスリン）、２，３，５，６−テトラフルオロ−４−メトキシメチルベンジル（１Ｒ）−トランス−３−（１−プロペニル（Ｅ／Ｚ＝１／８））−２，２−ジメチルシクロプロパンカルボキシラート、２，３，５，６−テトラフルオロ−４−メトキシメチルベンジル（１Ｒ）−トランス−３−（２−メチル−１−プロペニル）−２，２−ジメチルシクロプロパンカルボキシラート、２，３，５，６−テトラフルオロ−４−メトキシメチルベンジル２，２，３，３−テトラメチルシクロプロパンカルボキシラート、２，３，５，６−テトラフルオロ−４−メチルベンジル（１Ｒ）−トランス−３−（１−プロペニル（Ｅ／Ｚ＝１／８））−２，２−ジメチルシクロプロパンカルボキシラート、２，３，５，６−テトラフルオロ−４−メトキシメチルベンジル３−（１−プロペニル）−２，２−ジメチルシクロプロパンカルボキシラート、２，３，５，６−テトラフルオロ−４−メチルベンジル３−（２−メチル−１−プロペニル）−２，２−ジメチルシクロプロパンカルボキシラート、２，３，５，６−テトラフルオロ−４−メチルベンジル３−（２−クロロ−２−フルオロビニル）−２，２−ジメチルシクロプロパンカルボキシラート、２，３，５，６−テトラフルオロ−４−メチルベンジル３−（１−プロペニル）−２，２−ジメチルシクロプロパンカルボキシラート、１−エチニル−２−メチル−２−ペンテニル３−（２−クロロ−２−フルオロビニル）−２，２−ジメチルシクロプロパンカルボキシラート、１−エチニル−２−メチル−２−ペンテニル（１Ｒ）−３−（２−メチル−１−プロペニル）−２，２−ジメチルシクロプロパンカルボキシラート（一般名：エンペントリン）、１−エチニル−２−メチル−２−ペンテニル３−（２−メチル−１−プロペニル）−２，２−ジメチルシクロプロパンカルボキシラート、１−エチニル−２−メチル−２−ペンテニル３−（２，２−ジクロロビニル）−２，２−ジメチルシクロプロパンカルボキシラートを挙げることができる。
【００３３】
その他の殺虫性化合物及び忌避性化合物としては、例えば２，２−ジクロロビニルジメチルホスフェート等の有機リン化合物、Ｎ，Ｎ−ジエチル−ｍ−トルアミド、カラン−３，４−ジオール等を挙げることができる。
【００３４】
防除できる害虫の例としては、具体的には各種の有害昆虫を挙げることができ、特に有害飛翔性害虫、例えばアカイエカ、ネッタイイエカ、チカイエカ、コダカアカイエカ等のイエカ類、ヒトスジシマカ、ネッタイシマカ、オオクロヤブカ等のヤブカ類、シナハマダラカ、コガタハマダラカ、ガンビアハマダラカ等のハマダラカ類、サシバエ類、ヌカカ類、ユスリカ類、イエバエ、オオイエバエ等のイエバエ類、クロバエ類、ニクバエ類、タネバエ、ヒメイエバエ、タマネギバエ等のハナバエ類、ミバエ類、ショウジョウバエ類、チョウバエ類、ブユ類、アブ類等の双翅目害虫、スズメバチ類、アリガタバチ類、カブラハバチ等のハバチ類等の膜翅目害虫が挙げられる。
【００３５】
なお、薬剤含浸網４６には、防虫薬剤と共に、常温で揮散性を有する有効成分を含有する芳香剤を保持させてもよい。芳香剤の含有量は任意であるが、芳香剤が有効に揮散し得る期間を防虫薬剤の有効成分が有効に揮散し得る期間に合わせると、芳香剤の芳香の強さを指標として防虫薬剤の有効成分の残量を確認することができる。
【００３６】
なお本発明の薬剤保持部材は、上記した実施形態に限定されるものではなく、薬剤含浸網４６に代わってハニカム構造や、線状、格子状構造を採用してもよい。さらに薬剤保持部材は、液溜部と芯を有して液溜部に溜められた薬液を毛細管現象によって吸い上げて空気と触れさせる構成や、薬剤を固形化してその表面から薬剤を昇華させるものであってもよい。
【００３７】
送風機３０の羽根部材３２は、前記した様に回転軸を中心とする円周上に多数の小羽根３８が配されたものであるため、空気は羽根部材３２の中心側から吸い込まれ、周方向に排出される。本実施形態では、羽根部材３２の下部に薬剤保持部材４１が重なっているため、吸入の際に空気が薬剤保持部材４１を通過する。
【００３８】
また送風機３０のハウジング３１の上には発光ダイオード（発光部材）６０が設けられている。発光ダイオード（発光部材）６０の位置は、ケース部材２の中心に相当する。従ってケース部材２の最も高い位置の裏側の直近部に発光ダイオード６０がある。
【００３９】
またハウジング３１の近傍にオルタネートスイッチ６１が設けられている。オルタネートスイッチ６１は頂部を下に向かって押圧することによってオンオフが切り替わるスイッチである。従ってオフ状態の時にオルタネートスイッチ６１の頂部を押すとスイッチがオン状態となる。またオン状態の時に頂部を押すとオフになる。
オルタネートスイッチ６１の頂部は、図４の様にケース部材２の可動蓋部５の裏面の近傍に位置している。従って可動蓋部５が降下すると、オルタネートスイッチ６１が押圧される。
【００４０】
次に本実施形態の薬剤拡散装置１の使用方法について説明する。
薬剤拡散装置１はケース部材２のベース部３を下にし、可動蓋部５を上にした状態で使用される。即ち薬剤拡散装置１のケース部材２は可動蓋部５側が盛り上がっているので、常識的な使用状態として、必然的にベース部３を下にし、可動蓋部５を上にした状態で設置される。
【００４１】
そして薬剤拡散装置１を使用する際には、可動蓋部５を押す。ここで本実施形態の薬剤拡散装置１は、全体形状が偏平な三角形であり、中央が盛り上がった形状であるから、上面側の形状は手に沿い、押し心地がよい。
また手指によって可動蓋部５を押す場合には、可動蓋部５の天面部分を押圧することになるが、本実施形態の薬剤拡散装置１は、天面側に風が出入りする排出口や吸入口はない。そのため本実施形態の薬剤拡散装置１は、天面近傍に清潔感がある。
即ち天面近傍に排出用開口等がある場合は、排出用開口の周辺に薬剤が付着しているのではないかという不信感を使用者に与える。また天面近傍に吸入用開口がある場合は、埃が付いている場合が多い。これに対して本実施形態の薬剤拡散装置１は、天面側に排出用開口も吸入用開口も無いから、薬剤や埃が付着しているかの不信感を与えない。また本実施形態の薬剤拡散装置１は、天面部分が平滑であるから、雑巾等で拭きやすく、埃を拭いやすいのでより一層の清潔感がある。
そのため清潔癖のある使用者でも安心して天面部に触れて装置を起動することができ、布団の中から手を延ばして起動するのにも躊躇はない。
【００４２】
可動蓋部５が押圧されると可動蓋部５の全体がガイド棒１２に沿って降下する。その結果、可動蓋部５の裏面側がオルタネートスイッチ６１を押圧し、スイッチ６１がオン状態となる。また使用者が可動蓋部５の押圧をやめるとバネ１５の力によって可動蓋部５は元の位置に復帰する。
【００４３】
可動蓋部５の裏面側がオルタネートスイッチ６１を押圧し、スイッチ６１がオン状態となると、送風機３０のモータ３３と、発光ダイオード６０に通電される。
モータ３３に通電されて送風機３０が回転すると、室内の空気がケース部材２の底面に設けられた吸入用開口１１からケース部材２内に吸入される。ここで本実施形態の薬剤拡散装置１は、ケース部材２の底面に設けられた吸入用開口１１から空気を吸い込むものであるが、ケース部材２の底面は緩やかに凹んでいて下部の中央部分に隙間（空隙）７ができ、さらにこの隙間７は四方に開放されているから吸気の際の抵抗は低い。
空気は、送風機３０に吸い込まれる際に薬剤保持部材４１と接し、当該空気に気化した薬剤が混合される。そして薬剤を含む空気がケース部材２の側面側に開口する排出用開口１０から排出され、室内の害虫等が駆除される。
【００４４】
薬剤拡散装置１の起動中は、発光ダイオード６０が光り、図８の様に頂部の中心部６が幻想的に光る。即ち本実施形態では、発光ダイオード６０はケース部材２の内部であって、頂部の壁の近傍で発光する。また頂部の壁は、光が乱反射するものであるから、発光ダイオードの光軸の中心部分が輝き、さらにその周辺が淡く光る。そのため幻想的な雰囲気となる。図８は、図１の薬剤拡散装置の駆動時の斜視図であり、内部で発光ダイオードが発光した時の様子を示す。
【００４５】
薬剤拡散装置１を停止する場合には先と同様に可動蓋部５の天面部分を押圧し、可動蓋部５の全体を押し下げて内部のオルタネートスイッチ６１を押圧する。
ここで薬剤拡散装置１を停止する前は、当然に薬剤拡散装置１が駆動しており、薬剤拡散装置１の周囲に空気の動きがあるが、使用者の手指に空気が触れることは少ない。即ち本実施形態では、前記した様に天面側に排出口も吸入口も無いから、天面側から手指を近接しても手指に風が当たることはない。
また排出用開口１１は側面にあるから、通常の使用方法による場合は使用者の手指に空気が触れることは少ない。また布団の中から手を延ばすような場合を想定しても、使用者の手指に風が触れることは少ないと言える。即ち通常の使用者や、特に清潔癖の使用者は、薬剤を含む空気が触れることを嫌う。そのため布団の近傍に薬剤拡散装置１を置いて使用する場合は、通常、排出用開口１１を外側に向けて設置する。そのため布団の中から手を延ばしても、排出用開口１１は使用者に対して反対側を向いており、手指に風があたることはない。
【００４６】
以上の説明は通常の使用方法であるが、本実施形態の薬剤拡散装置１はスリッパで踏みつけたり、箒や新聞紙で押圧する様な方法であってもオンオフすることができる。即ち本実施形態の薬剤拡散装置１は、可動蓋部５の全体がスイッチの押圧部として機能し、押圧可能面積が極めて広い。そのため箒や新聞紙で押圧する様な場合であっても押圧部を外すことがなく、確実にスイッチが機能する。
【００４７】
以上説明した実施形態は、最も好ましい形状、構造について説明したが、デザインその他については任意であり、図９に示す様な形状でもよい。即ち図９は、本発明の他の実施形態の薬剤拡散装置の斜視図である。
図９に示す薬剤拡散装置７０は、全体形状が高さの低い円柱状であり、側面に排出用開口７１が設けられ、底に吸入用開口（図示せず）が設けられている。
また先の実施形態の様にケース部材の上側の全体が昇降してスイッチのオンオフがなされることが望ましいが、図９に示す薬剤拡散装置７０の様に、一部の押圧部７２を押圧することによってスイッチのオンオフがなされるものであってもよい。
即ち図１等に開示された薬剤拡散装置１は、ケース部材２の天面全体がスイッチの押圧部として機能しているが、天面部の一部だけが押圧部として機能するものであってもよい。
【図面の簡単な説明】
【００４８】
【図１】本発明の実施形態の薬剤拡散装置の斜視図である。
【図２】図１の薬剤拡散装置の正面図、左右側面図及び平面図である。
【図３】図１の薬剤拡散装置の底面図である。
【図４】図１の薬剤拡散装置の断面図であり、（ａ）は通常時における状態を示し、（ｂ）はスイッチを操作した時の状態を示す。
【図５】図１の薬剤拡散装置の斜視図であり、可動蓋部を取り外した状態を示す。
【図６】（ａ）は、送風機の内部を上側から観察した斜視図であり、同（ｂ）は、送風機の内部を下側から観察した斜視図である。
【図７】薬剤保持部材の分解斜視図である。
【図８】図１の薬剤拡散装置の駆動時の斜視図であり、内部で発光ダイオードが発光した時の様子を示す。
【図９】本発明の他の実施形態の薬剤拡散装置の斜視図である。
【符号の説明】
【００４９】
１  薬剤拡散装置
２  ケース部材
３  ベース部
５  可動蓋部
７  隙間（空隙）
１０  排出用開口
１１  吸入用開口
１２  ガイド棒
３０  送風機
４１  薬剤保持部材
６０  発光ダイオード（発光部材）
６１  オルタネートスイッチ
７０  薬剤拡散装置
７１  排出用開口
７２  押圧部
【図１】
2006314253.tif 000003
【図２】
2006314253.tif 000004
【図３】
2006314253.tif 000005
【図４】
2006314253.tif 000006
【図５】
2006314253.tif 000007
【図６】
2006314253.tif 000008
【図７】
2006314253.tif 000009
【図８】
2006314253.tif 000010
【図９】
2006314253.tif 000011